(57)【要約】【課題】  ガスタンクを備えた本体部に対し、棒状に延び先端に火炎口を有する炎口棒部の指向方向を容易に変更可能とし、着火点に向けて指向させて着火操作性を向上する。【解決手段】  燃料となる液化ガスを貯蔵するガスタンク５を備えた本体部２と、該本体部２から棒状に延び先端にガス炎を噴出する火炎口３１を有する炎口棒部３とを備えてなり、本体部２に対して炎口棒部３の基部33を回動自在に支持し、本体部２と炎口棒部３とがなす角度をフリー状態で変更して火炎口31の向きを変え、着火操作時には本体部２と炎口棒部３とがなす角度を固定する。フリー状態での着火操作をロックするロックレバー10をさらに備えるのが好ましい。炎口棒部３を常に水平状態に維持するバランスウェイトを備えてもよい。【選択図】          図３
2005140475.tif 000002
【特許請求の範囲】
【請求項１】
燃料となる液化ガスを貯蔵するガスタンクを備えた本体部と、該本体部から棒状に延び先端にガス炎を噴出する火炎口を有する炎口棒部とを備えてなる着火器具において、
前記本体部に対して前記炎口棒部の基部を回動自在に支持し、前記本体部と前記炎口棒部とがなす角度をフリー状態で変更して前記火炎口の向きを変え、着火操作時には前記本体部と前記炎口棒部とがなす角度を固定することを特徴とする着火器具。
【請求項２】
前記本体部の環状ガイド部を備えた保持部に、前記炎口棒部のリング部を備えた回動基部を回動自在に嵌挿し、該炎口棒部と前記本体部とがなす角度をフリー状態で変更可能に構成したことを特徴とする請求項１に記載の着火器具。
【請求項３】
前記本体部には、前記フリー状態での着火操作をロックするロックレバーをさらに備えたことを特徴とする請求項１または２に記載の着火器具。
【請求項４】
前記ロックレバーをロック解除操作した際に、該ロックレバーの一部が前記炎口棒部の一部に干渉し、前記本体部と前記炎口棒部とがなす角度を固定することを特徴とする請求項３に記載の着火器具。
【請求項５】
前記本体部に対して前記炎口棒部を一定方向に付勢するテンション部材を備えたことを特徴とする請求項１または２に記載の着火器具。
【請求項６】
燃料となる液化ガスを貯蔵するガスタンクを備えた本体部と、該本体部から棒状に延び先端にガス炎を噴出する火炎口を有する炎口棒部とを備えてなる着火器具において、
前記本体部に対して前記炎口棒部の基部を回動自在に支持し、さらに、前記炎口棒部は回動中心に対して前後の重量バランスが均衡し、フリー状態では水平状態を維持するように構成されるとともに、前記本体部に対する前記炎口棒部の回動を固定する機構をさらに備えたことを特徴とする着火器具。
【請求項７】
前記本体部の環状ガイド部を備えた保持部に、前記炎口棒部のリング部を備えた回動基部を回動自在に嵌挿し、該炎口棒部にバランスウェイトを配置して水平バランスをとり、前記本体部の角度をフリー状態で変更可能に構成したことを特徴とする請求項６に記載の着火器具。
【請求項８】
前記炎口棒部の回動を固定する機構は、前記回動基部の一部に干渉して回動を規制するロックレバーで構成されてなることを特徴とする請求項７に記載の着火器具。
【請求項９】
前記ロックレバーは、前記炎口棒部のフリー状態で着火操作をロックすることを特徴とする請求項８に記載の着火器具。
【発明の詳細な説明】
【技術分野】
【０００１】
本発明は、本体部の点火操作によって本体部から延びた炎口棒部の先端火炎口からガス炎を噴出する点火棒として知られる着火器具に関し、特にその火炎口の方向を変更する構造に関するものである。
【背景技術】
【０００２】
従来より、燃料の液化ガスを貯蔵するガスタンクを備えた本体部から炎口棒部を延ばし、この炎口棒部を構成する先端パイプの先端部に設けた火炎口よりガス炎を噴出するようにして、着火位置と点火操作位置との距離を長くして着火が容易に行えるようにした着火器具が市販され、普及している。
【０００３】
そして、その炎口棒部における先端パイプの一部を可撓性部材で形成して火炎口の向きを変えられるようにして、屈曲した部分に対しても先端パイプを挿入可能として着火が行えるようにしたガス着火器が提案されている（例えば、特許文献１参照）。
【特許文献１】特開平９−１３３３５９号公報
【発明の開示】
【発明が解決しようとする課題】
【０００４】
ところで、上記のような着火器具は炎口棒部の先端パイプがスプリングのような可撓性部材で構成されているため、挿入経路の壁面等に接触してその形状を変更するものであって、当てる壁面等がなく、最初の挿入方向が本体部を持って行うことが困難な場合には操作性に難点がある。
【０００５】
つまり、着火器具の炎口棒部が剛体で本体部に直線状に接続された従来着火器具の場合には、ガス器具の着火口等を通しての着火操作の際に、無理な操作姿勢となって着火困難となる場合や、着火口の直線延長上に壁その他の障害物が存在して、正規の着火位置に先端部を挿入できずに良好な着火性が得られない場合がある。このような点に対し、特許文献１のように炎口棒部の先端パイプを可撓性部材で構成すると、着火口等の壁面に先端部が接触して先端パイプが挿入経路に沿って変形し、着火点に挿入可能となるが、前述のように接触壁面がない場合には着火点方向には変形せずに着火点に接近できない点があるとともに、先端部が壁面に擦れて汚れが付着し着火性が低下するなどの問題がある。
【０００６】
特に、本体部と炎口棒部とが固定されていると、本体部を上下・左右の様々な方向に動かすのに応じて、火炎口も同一の方向を向く構造となっているため、着火物に対して先端火炎口を近づける際、本体を傾けて着火しようとしたとき、炎口棒部自体も傾いてガス炎が形成できにくい。
【０００７】
そこで本発明は上記事情に鑑み、本体部に対する炎口棒部の指向方向を容易に変更可能として着火点に向けて指向させて着火性を向上するようにした着火器具を提供することを目的とするものである。
【課題を解決するための手段】
【０００８】
本発明の着火器具は、燃料となる液化ガスを貯蔵するガスタンクを備えた本体部と、該本体部から棒状に延び先端にガス炎を噴出する火炎口を有する炎口棒部とを備えてなる着火器具において、
前記本体部に対して前記炎口棒部の基部を回動自在に支持し、前記本体部と前記炎口棒部とがなす角度をフリー状態で変更して前記火炎口の向きを変え、着火操作時には前記本体部と前記炎口棒部とがなす角度を固定することを特徴とするものである。
【０００９】
前記本体部の環状ガイド部を備えた保持部に、前記炎口棒部のリング部を備えた回動基部を回動自在に嵌挿し、該炎口棒部と前記本体部とがなす角度をフリー状態で変更可能に構成するのが好適である。
【００１０】
前記本体部には、前記フリー状態での着火操作をロックするロックレバーをさらに備えるのが好適である。このロックレバーをロック解除操作した際に、該ロックレバーの一部が前記炎口棒部の一部に干渉し、前記本体部と前記炎口棒部とがなす角度を固定するのが好適である。
【００１１】
また、前記本体部に対して前記炎口棒部を一定方向に付勢するテンション部材を備えるようにしてもよい。
【００１２】
また、本発明の他の着火器具は、燃料となる液化ガスを貯蔵するガスタンクを備えた本体部と、該本体部から棒状に延び先端にガス炎を噴出する火炎口を有する炎口棒部とを備えてなる着火器具において、
前記本体部に対して前記炎口棒部の基部を回動自在に支持し、さらに、前記炎口棒部は回動中心に対して前後の重量バランスが均衡し、フリー状態では水平状態を維持するように構成されるとともに、前記本体部に対する前記炎口棒部の回動を固定する機構をさらに備えたことを特徴とするものである。
【００１３】
前記本体部の環状ガイド部を備えた保持部に、前記炎口棒部のリング部を備えた回動基部を回動自在に嵌挿し、該炎口棒部にバランスウェイトを配置して水平バランスをとり、前記本体部の角度をフリー状態で変更可能に構成するのが好適である。
【００１４】
前記炎口棒部の回動を固定する機構は、前記回動基部の一部に干渉して回動を規制するロックレバーで構成するのが好適である。このロックレバーは、前記炎口棒部のフリー状態で着火操作をロックするのが好適である。
【発明の効果】
【００１５】
以上のような本発明の着火器具によれば、ガスタンクを備えた本体部に対して、先端にガス炎を噴出する火炎口を有する炎口棒部の基部を回動自在に支持し、前記本体部と前記炎口棒部とがなす角度をフリー状態で変更して前記火炎口の向きを変え、着火操作時には前記本体部と前記炎口棒部とがなす角度を固定することで火炎口の向きを容易に変更できるようにしたことにより、炎口棒部の指向方向が変更可能で複雑な壁面角や隙間に炎口棒部を容易に挿入できて、本体部を持った手が壁面に擦れたりすることなく持ちやすい角度で本体部を持って操作でき、先端火炎口を着火点に接近させて良好な着火が行える。
【００１６】
全長が長い製品や、小さく持ち運びたい場合、屈曲角度を大きくして本体部に対して炎口棒部が折れ曲がるように折り曲げることによって、コンパクトな形状にして収納持ち運びが容易になる。
【００１７】
本体部とは別に炎口棒部の向きを変えられるために、着火した際にガス炎が指や手、操作する本体部に当たらないようにすることができる。
【００１８】
また、本発明の他の着火器具によれば、ガスタンクを備えた本体部に対して、先端にガス炎を噴出する火炎口を有する炎口棒部の基部を回動自在に支持し、さらに、炎口棒部を回動中心に対して両側の重量バランスを均衡させ、フリー状態では水平状態を維持するように構成し、本体部に対する炎口棒部の回動を固定する機構をさらに備えることで火炎口の向きを容易に変更できるようにしたことにより、炎口棒部の指向方向が変更可能で複雑な壁面角や隙間に炎口棒部を容易に挿入できて、本体部を持った手が壁面に擦れたりすることなく持ちやすい角度で本体部を持って操作でき、先端火炎口を着火点に接近させて良好な着火が行える。
【００１９】
つまり、水平状態にある炎口棒部に対する本体部の角度を変更してから、本体部と炎口棒部とがなす角度を固定して火炎口の向きを変えるか、または、先に炎口棒部の回動を固定して炎口棒部を傾斜状態としてから固定を解放してフリー状態とし、炎口棒部を水平状態へ回動させて火炎口の向きを変えることができる。
【００２０】
特に、本体部を傾けても常に炎口棒部は一定方向を向いているため、本体部を使用しやすい位置に傾けても、炎口棒部の先端の炎形成方向は一定で、良好なガス炎形成を得ることができる。
【発明を実施するための最良の形態】
【００２１】
以下、本発明の各実施の形態を詳細に説明する。
【００２２】
＜第１の実施の形態＞
図１は第１の実施形態にかかる着火器具の全体構成を示す側面図、図２は全体平面図、図３はフリー状態における要部断面側面図、図４は着火操作時の要部断面側面図である。
【００２３】
本実施形態の着火器具１は、本体部２と該本体部２から棒状に延びた炎口棒部３とを備えてなる。本体部２は、全体の外郭が左右に分割形成されたケース４で覆われ、該ケース４の後部側の内部には液化ガスを貯留したガスタンク５が設置されている。このガスタンク５は、タンク本体５ａにタンク上蓋５ｂが結合されてなり、そのタンク上蓋５ｂにはガスの供給を開閉するバルブ機構６を備えている。
【００２４】
また、ケース４の中間下部には、前後にスライド自在に着火レバー７が配設され、該着火レバー７の後部に前記ガスタンク５との間に、着火レバー７の後退作動に伴って放電電圧を給電する圧電ユニット８が設置されている。また、上記着火レバー７の後部側には、その後退作動に伴って揺動する連係レバー９を備え、該連係レバー９によって前記バルブ機構６を開作動してガスの送給を行うように連係されている。さらに、ケース４の中間上部には上記着火レバー７の作動をロックするロックレバー１０（詳細は後述する）が設置されている。
【００２５】
本体部２におけるケース４の前端部には、円筒状に形成された保持部４１を備えている。この保持部４１は、両側の分割部位が合わさって外郭部が円筒状となり、その内側には環状のガイド部４２を備え、このガイド部４２は両側の分割部位が合わさったときには中央部に隙間が形成され、後述のガスパイプ２２、不図示の導線等が挿通する。保持部４１の先端側には炎口棒部３の回動範囲に応じた周方向に延びる摺動溝４３が開口されている。
【００２６】
上記保持部４１には、炎口棒部３の回動基部３３が上下方向に回動自在に保持される。炎口棒部３は棒状で先端にガス炎が通る火炎口３１を備え、その外郭部分は例えば金属筒体による先端パイプ３２によって構成され、後端部位には回動基部３３が固定キャップ３４の装着によって連設されている。回動基部３３は、先端パイプ３２との連結筒部３３ａと、前記保持部４１の前部外周を覆う鍔部３３ｂと、保持部４１の内部に保持されるリング部３３ｄと、該リング部３３ｄと鍔部３３ｂとを連結する連結棒部３３ｃとを備えてなる。連結筒部３３ａ、連結棒部３３ｃの内部には先端パイプ３２の内部と本体部２の内部とを連通するように通路が形成され、ガスパイプ２２等が挿通するようになっている。
【００２７】
上記回動基部３３のリング部３３ｄは、前記保持部４１の円環状ガイド部４２の内周部に挿入されて、その内側を回転摺動するように保持されてなる。このリング部３３ｄは円環状ガイド部４２より幅（高さ）が大きく、内側に突出して後述のロックレバー１０の先端摺接部１２が当接して回動規制し固定可能となっている。そして、回動基部３３の連結棒部３３ｃは、炎口棒部３の回動に応じて保持部４１の摺動溝４３を移動するものであり、鍔部３３ｂは摺動溝４３の外側開口を覆うように周方向に延びて形成されている。
【００２８】
また、炎口棒部３の内部の先端部にはガスを噴出する噴出ノズル２１（図１参照）を備えている。この噴出ノズル２１の後端部には、前述のバルブ機構６からガスを送給するガスパイプ２２の先端部が結合されている。このガスパイプ２２は、先端パイプ３２の内部を後方に延びて、その後端部はバルブ機構６に接続されるものであるが、その途中部分は回動基部３３の回動が可能なようにフレキシブルで変形可能でかつフリーに形成されている。
【００２９】
さらに先端パイプ３２の内部には可撓性の被覆導線（不図示）が嵌挿され、その一端は噴出ノズル２１に接続され、他端は前記圧電ユニット８の一方の電極に接続される。また、先端パイプ３２には他の被覆導線（不図示）の一端が接続され、他端は圧電ユニット８の他方の電極に接続される。これにより、導電性材料による先端パイプ３２の放電電極（不図示）に電気的に接続され、噴出ノズル２１との間に放電が得られるようにしている。
【００３０】
そして、前記炎口棒部３の回動基部３３は、本体部２の保持部４１を中心として回動し、その先端火炎口３１の方向が変えられる。その回動は、図３のように、回動基部３３の回動が規制されていないフリー状態で、抵抗なく容易に行えるものであり、手によって炎口棒部３と本体部２との角度が任意に変更できる。
【００３１】
また、上記炎口棒部３の角度を変更した後に、着火レバー７を操作して点火操作すなわち連係レバー９を介してバルブ機構６を開作動してガスを送給するとともに、圧電ユニット８を作動して放電点火するものであるが、回動基部３３がフリー状態にある際には、着火レバー７はロックレバー１０によって着火操作不能にロックされている。
【００３２】
このロックレバー１０は支点１０ａによってケース４に揺動可能に保持され、凹状操作部１０ｂがケース４より外部に露出して前後方向に揺動操作される。ロックレバー１０は、後部下方に突出するロック部１１を備え、このロック部１１は操作部１０ｂの後部が内方に押し込まれた際に、着火レバー７の方向に移動してその係合部７ａに後方から図３のように係合し、この着火レバー７の後方への着火操作を不能にロックする。その際、ロックレバー１０の操作部１０ｂの後端の押圧部１３がバルブ機構６に接続されたガスパイプ２２の後端部位を押しつぶして内部通路を閉塞するようになっている。
【００３３】
また、ロックレバー１０の操作部１０ｂの前端には摺接部１２を備え、この摺接部１２は炎口棒部３の回動基部３３のリング部３３ｄの方向に延び、操作部１０ｂの前部が内方に押し込まれた際に摺接部１２がリング部３３ｄの外周に圧接して、その摩擦抵抗でリング部３３ｄの回動すなわち炎口棒部３の角度変更を規制して固定するようになっている。
【００３４】
前記ロックレバー１０には復帰方向に付勢する捩りバネによる付勢部材１４が装着され、着火操作後にロックレバー１０の操作部１０ｂより手を離した際に、復帰方向に揺動される。そして、ロックレバー１０の操作部１０ｂの後部を押し込み操作すると、押圧部１３がガスパイプ２２の後端部位を押しつぶしてガス送給を閉塞して消火するようになっている。
【００３５】
また、図４に鎖線で示すように、炎口棒部３の回動基部３３に対して一定方向にテンションを付勢するように、捩りバネなどによるテンション部材３６を設置するようにしてもよい。このテンション部材３６により、炎口棒部３が一定方向を向くように常に一定力が加わえられる。
【００３６】
上記のような着火器具１の作用を説明すれば、図３に示すようなフリー状態では、炎口棒部３はその回動基部３３が本体部２の保持部４１に対し容易に回動でき、炎口棒部３が任意の方向に角度変更可能であり、炎口棒部３を手で所望の方向に傾ける。この回動基部３３がフリー状態の場合（図３）では、ロックレバー１０が着火レバー７をロックしているため、着火できない。そして、火炎口３１を本体部２の保持角度に対して所望の角度に変更させた後、ロックレバー１０を前方に押して揺動させることによって、図４のように、着火レバー７のロック状態は解除され、さらなるロックレバー１０の前方向への揺動によって、このロックレバー１０の摺接部１２が回動基部３３のリング部３３ｄの外周に接触し、炎口棒部３は調整されれた任意の角度位置に保持される。
【００３７】
次に、例えば、図７に示すように、本体部２を持って燃焼器具５０の着火点５２に対する点火口５１への挿入が、本体部２と炎口棒部３が直線状では手が床面５３に擦れて操作しにくい場合に、炎口棒部３との角度を変更することで、この炎口棒部３は着火点５２に向けて点火口５１に直線状に挿入されるが、本体部２は床面５３に対して角度があって、この本体部２を持った手が床面５３に擦れることがなく、着火レバー７の操作によって火炎口３１よりガス炎を発生させるもので、着火操作性が改善できる。
【００３８】
着火後には、着火レバー７は圧電ユニット８に内蔵されているスプリングによって復帰移動し、ロックレバー１０も手を離すのに伴って付勢部材１４によって復帰移動し、炎口棒部３の回動規制による火炎口３１の方向固定を解除してフリー状態に復帰し、さらにロックレバー１０が図３に示す元の位置に操作されたとき、ガスパイプ２２をつぶしてガスの供給を停止し、炎口棒部３がフリー状態に戻ったときの消火を確保するようにしている。
【００３９】
本実施形態によれば、本体部２に対して炎口棒部３の角度が容易に任意の角度に変更できることにより、本体部２を把持し、例えば、ストーブ、キッチン器具等の燃焼器具５０の点火等において、もしくは炭、薪などの被着火物への着火を行う際に、着火点５２への着火口５１への挿入操作が行いやすくなる。また、炎口棒部３の回動基部３３がフリー状態にある際には、着火レバー７の操作が不能で不用意な方向へ火炎口３１が向いているときにガス炎が噴出されないようにしている。また、炎口棒部３の回動をロックレバー１０によって規制し角度が変更しない状態で着火操作されることで、その操作中の火炎口３１の角度変更がなく目標とする着火点５２への着火操作の確実性が確保できる。さらに、着火後のロックレバー１０のロック操作に伴ってガスが閉塞され、確実な消火が行える。
【００４０】
なお、ロックレバー１０による回動基部３３の回動規制は、摩擦のほか、切欠き溝にフック状に係合する構造などの干渉構造が採用可能であり、任意の回動位置で固定されるように構成される。
【００４１】
＜第２の実施の形態＞
図５は第２の実施形態にかかる着火器具のフリー状態における要部断面側面図、図６は着火操作時の要部断面側面図である。なお、この実施形態の着火器具１００の全体側面図および平面図は前記実施形態の図１および図２と同様であり、内部にバランスウェイト３５を追加したもので、その他は同一であり、同一部分には同一符号を付してその説明を省略する。
【００４２】
本実施形態での着火器具１００の炎口棒部３は、本体部２におけるケース４の保持部４１に上下方向に回動自在に保持される回動基部３３が、連結筒部３３ａと鍔部３３ｂと連結棒部３３ｃとリング部３３ｄとを備え、さらに、リング部３３ｄの内周面で連結棒部３３ｃと反対側の位置に設置されたバランスウェイト３５を備えている。
【００４３】
上記バランスウェイト３５は、保持部４１の回動中心に対して反対側の先端パイプ３２との重量バランスの均衡を得るものであって、フリー状態では常に炎口棒部３が水平状態を維持するようになっている。そして、水平状態にある炎口棒部３に対する本体部２の角度を変更してから、ロックレバー１０による回動を固定する機構の操作によって本体部２と炎口棒部３とがなす角度を固定し、火炎口３１の向きを変えるものである。または、先に炎口棒部３の回動をロックレバー１０の操作によって固定し、この炎口棒部３を傾斜状態としてから固定を開放してフリー状態として、炎口棒部３を水平状態へ回動させて火炎口３１の向きを変えるものである。
【００４４】
そして、前例と同様に、前記炎口棒部３の回動基部３３は、本体部２の保持部４１を中心として回動し、その先端火炎口３１の方向が変えられる。その回動は、図５のように、回動基部３３の回動が規制されていないフリー状態で、抵抗なく容易に行えるものであり、炎口棒部３と本体部２との角度が任意に変更できる。また、回動基部３３がフリー状態にある際には、着火レバー７はロックレバー１０によって着火操作不能にロックされている。
【００４５】
本実施形態の着火器具１００の作用を説明すれば、図５に示すようなフリー状態では、炎口棒部３はその回動基部３３が本体部２の保持部４１に対し容易に回動でき、炎口棒部３は水平状態を維持するようにバランスウェイト３５が作用し、例えば、図６に示すように、本体部２を傾けることで炎口棒部３との角度が任意に変更可能である。回動基部３３がフリー状態の場合（図５）では、ロックレバー１０が着火レバー７をロックしているため、着火できない。そして、火炎口３１の方向に対して本体部２の保持角度を所望の角度に変更させた後、ロックレバー１０を前方に押して揺動させることによって、着火レバー７のロック状態は解除され、さらなるロックレバー１０の前方向への揺動によって、図６のように、このロックレバー１０の摺接部１２が回動基部３３のリング部３３ｄの外周に接触し、炎口棒部３は調整されれた任意の角度位置に保持される。
【００４６】
次に、例えば、前述の図７に示す場合と同様に、本体部２を持って燃焼器具５０の着火点５２に対する点火口５１への挿入が、本体部２と炎口棒部３が直線状では手が床面５３に擦れて操作しにくい場合に、炎口棒部３との角度を変更することで、この炎口棒部３は着火点５２に向けて点火口５１に直線状に挿入されるが、本体部２は床面５３に対して角度があって、この本体部２を持った手が床面５３に擦れることがなく、着火レバー７の操作によって火炎口３１よりガス炎を発生させるもので、着火操作性が改善できる。
【００４７】
また、図５の状態でロックレバー１０をロック解除から回動固定操作し、先に炎口棒部３の回動を固定し、その状態で、例えば図８に示すように、他の形態の燃焼器具６０の着火点６２に対する点火口６１へ、鎖線で示すように炎口棒部３を傾斜状態で挿入し、その後、ロックレバー１０による回動固定を解放してフリー状態とし、炎口棒部３を実線で示すように水平状態の方向へ回動させて火炎口３１の向きを着火点６２の方向へ変えるものである。なお、図８の場合には、回動部材３３の回動範囲が規定されている関係で、炎口棒部３は水平状態までは回動していないが、回動範囲を大きく設定することによって炎口棒部３を本体部２に対して直角な角度程度まで回動させることも可能である。そして、着火レバー７の操作によって火炎口３１よりガス炎を発生させるもので、着火操作性が改善できる。
【００４８】
本実施形態によれば、本体部２に対して炎口棒部３の角度がそのバランスウェイト３５の作用による水平状態を維持する機能により容易に任意の角度に変更できるため、本体部２を把持し、例えば、ストーブ、キッチン器具等の燃焼器具５０，６０の点火等において、もしくは炭、薪などの被着火物への着火を行う際に、着火点５２，６２への着火口５１，６１への挿入操作が行いやすくなる。また、炎口棒部３の回動基部３３がフリー状態にある際には、着火レバー７の操作が不能で不用意な方向へ火炎口３１が向いているときにガス炎が噴出されないようにしている。また、炎口棒部３の回動をロックレバー１０によって規制し角度が変更しない状態で着火操作されることで、その操作中の火炎口３１の角度変更がなく目標とする着火点５２への着火操作の確実性が確保できる。さらに、着火後のロックレバー１０のロック操作に伴ってガスが閉塞され、確実な消火が行える。
【図面の簡単な説明】
【００４９】
【図１】本発明の第１の実施形態にかかる着火器具の全体構成を示す側面図
【図２】図１の平面図
【図３】図１の着火器具のフリー状態における要部断面側面図
【図４】図３の着火操作時の要部断面側面図
【図５】本発明の第２の実施形態にかかる着火器具のフリー状態における要部断面側面図
【図６】図５の着火操作時の要部断面側面図
【図７】図１の使用態様例を示す概略図
【図８】図５の使用態様例を示す概略図
【符号の説明】
【００５０】
１,100    着火器具
２    本体部
３    炎口棒部
４    ケース
５    ガスタンク
６    バルブ機構
７    着火レバー７
10    ロックレバー
11    ロック部
12    摺接部
13    押圧部
14    付勢部材
21    噴出ノズル
22    ガスパイプ
31    火炎口
32    先端パイプ
33    回動基部
33d   リング部
35    バランスウェイト
36    テンション部材
41    保持部
42    ガイド部
【図１】
2005140475.tif 000003
【図２】
2005140475.tif 000004
【図３】
2005140475.tif 000005
【図４】
2005140475.tif 000006
【図５】
2005140475.tif 000007
【図６】
2005140475.tif 000008
【図７】
2005140475.tif 000009
【図８】
2005140475.tif 000010